(57)【要約】      （修正有）【課題】ユーザ宅内の家電製品などの機器情報とユーザ情報をユーザ機器情報管理センタに登録することができるユーザ登録システムを提供する。【解決手段】ユーザ・機器情報ＤＢと、公衆網を介してユーザ・機器情報ＤＢと接続されるユーザ宅内の通信装置と、機器情報を通信装置に送信する機能を有する機器とを備え、通信装置は、ユーザ情報を入力するとともに、ユーザ情報および機器情報の登録に関するポリシーを入力する手段と、機器が当該通信装置と無線接続するための無線通信情報を記憶する挿抜可能な外部メモリとを備え、機器は外部メモリを接続して無線通信情報を読み出すインタフェース部を備え、無線通信情報を用いて通信装置との無線接続を確立して機器情報を送信する構成であり、通信装置は機器から送信された機器情報を受信し、ポリシーを含むユーザ情報および機器情報を公衆網を介してユーザ・機器情報ＤＢに転送して登録する。【選択図】図１
2012231260.tif 000002
【特許請求の範囲】
【請求項１】
ユーザを特定するユーザ情報および機器を特定する機器情報を対応付けて登録するユーザ・機器情報ＤＢと、
公衆網を介して前記ユーザ・機器情報ＤＢと接続されるユーザ宅内の通信装置と、
前記機器情報を前記通信装置に送信する機能を有する機器と
を備え、前記通信装置が前記機器から送信された機器情報を受信し、前記ユーザ情報および前記機器情報を前記公衆網を介して前記ユーザ・機器情報ＤＢに転送して登録するユーザ登録システムにおいて、
前記通信装置は、前記ユーザ情報を入力するとともに、前記ユーザ情報および前記機器情報の登録に関するポリシーを入力する手段と、前記機器が当該通信装置と無線接続するための無線通信情報を記憶する挿抜可能な外部メモリとを備え、
前記機器は、前記外部メモリを接続して前記無線通信情報を読み出すインタフェース部を備え、前記無線通信情報を用いて前記通信装置との無線接続を確立して前記機器情報を送信する構成であり、
前記通信装置は、前記機器から送信された前記機器情報を受信し、前記ポリシーを含む前記ユーザ情報および前記機器情報を前記公衆網を介して前記ユーザ・機器情報ＤＢに転送して登録する構成である
ことを特徴とするユーザ登録システム。
【請求項２】
請求項１に記載のユーザ登録システムにおいて、
前記通信装置を提供する通信事業者が管理し、前記通信装置の回線ＩＤおよびユーザ情報が登録される契約者ＤＢと、
前記公衆網に接続するとともに前記契約者ＤＢにアクセス可能なユーザ・機器情報登録機能部と
を備え、
前記通信装置は、前記機器から送信された前記機器情報を受信し、前記回線ＩＤとともに前記ポリシーおよび前記機器情報を前記公衆網を介して前記ユーザ・機器情報登録機能部に転送する構成であり、
前記ユーザ・機器情報登録機能部は、前記回線ＩＤに基づいて前記契約者ＤＢに登録されているユーザ情報を読み出し、前記ポリシーを含む前記ユーザ情報および前記機器情報を前記公衆網を介して前記ユーザ・機器情報ＤＢに転送して登録する構成である
ことを特徴とするユーザ登録システム。
【請求項３】
請求項１に記載のユーザ登録システムにおいて、
前記通信装置が有するユーザＩＤおよびユーザ情報が登録されるユーザＤＢと、
前記公衆網に接続するとともに前記ユーザＤＢにアクセス可能なユーザ・機器情報登録機能部と
を備え、
前記通信装置は、前記機器から送信された前記機器情報を受信し、前記ユーザＩＤとともに前記ポリシーおよび前記機器情報を前記公衆網を介して前記ユーザ・機器情報登録機能部に転送する構成であり、
前記ユーザ・機器情報登録機能部は、前記ユーザＩＤに基づいて前記ユーザＤＢに登録されているユーザ情報を読み出し、前記ポリシーを含む前記ユーザ情報および前記機器情報を前記ユーザ・機器情報ＤＢに登録する構成である
ことを特徴とするユーザ登録システム。
【請求項４】
請求項１に記載のユーザ登録システムにおいて、
前記ユーザ宅内に、スマートメータ網に接続されるスマートメータを備え、
前記スマートメータが有するユーザＩＤおよびユーザ情報が登録されるユーザＤＢと、
前記スマートメータ網に接続するとともに前記ユーザＤＢにアクセス可能なユーザ・機器情報登録機能部と
を備え、
前記通信装置は、前記外部メモリに前記ポリシーとともに前記機器が前記スマートメータと無線接続するための無線通信情報を記憶させ、
前記スマートメータは、前記機器から前記ポリシーに基づいて送信された前記機器情報を受信し、前記ユーザＩＤ、前記ポリシーおよび前記機器情報を前記スマートメータ網を介して前記ユーザ・機器情報登録機能部に転送する構成であり、
前記ユーザ・機器情報登録機能部は、前記ユーザＩＤに基づいて前記ユーザＤＢに登録されているユーザ情報を読み出し、前記ポリシーを含む前記ユーザ情報および前記機器情報を前記ユーザ・機器情報ＤＢに登録する構成である
ことを特徴とするユーザ登録システム。
【請求項５】
ユーザを特定するユーザ情報および機器を特定する機器情報を対応付けて登録するユーザ・機器情報ＤＢと、
公衆網を介して前記ユーザ・機器情報ＤＢと接続されるユーザ宅内の通信装置と、
前記機器情報を前記通信装置に送信する機能を有する機器と
を備え、前記通信装置が前記機器から送信された機器情報を受信し、前記ユーザ情報および前記機器情報を前記公衆網を介して前記ユーザ・機器情報ＤＢに転送して登録するユーザ登録方法において、
前記通信装置は、前記ユーザ情報を入力するとともに、前記ユーザ情報および前記機器情報の登録に関するポリシーを入力し、挿抜可能な外部メモリに前記機器が当該通信装置と無線接続するための無線通信情報を記憶し、
前記機器は、前記外部メモリを接続して前記無線通信情報を読み出すインタフェース部を備え、前記無線通信情報を用いて前記通信装置との無線接続を確立して前記機器情報を送信し、
前記通信装置は、前記機器から送信された前記機器情報を受信し、前記ポリシーを含む前記ユーザ情報および前記機器情報を前記公衆網を介して前記ユーザ・機器情報ＤＢに転送して登録する
ことを特徴とするユーザ登録方法。
【請求項６】
請求項５に記載のユーザ登録方法において、
前記通信装置を提供する通信事業者が管理し、前記通信装置の回線ＩＤおよびユーザ情報が登録される契約者ＤＢと、
前記公衆網に接続するとともに前記契約者ＤＢにアクセス可能なユーザ・機器情報登録機能部と
を備え、
前記通信装置は、前記機器から送信された前記機器情報を受信し、前記回線ＩＤとともに前記ポリシーおよび前記機器情報を前記公衆網を介して前記ユーザ・機器情報登録機能部に転送し、
前記ユーザ・機器情報登録機能部は、前記回線ＩＤに基づいて前記契約者ＤＢに登録されているユーザ情報を読み出し、前記ポリシーを含む前記ユーザ情報および前記機器情報を前記公衆網を介して前記ユーザ・機器情報ＤＢに転送して登録する
ことを特徴とするユーザ登録方法。
【請求項７】
請求項５に記載のユーザ登録方法において、
前記通信装置が有するユーザＩＤおよびユーザ情報が登録されるユーザＤＢと、
前記公衆網に接続するとともに前記ユーザＤＢにアクセス可能なユーザ・機器情報登録機能部と
を備え、
前記通信装置は、前記機器から送信された前記機器情報を受信し、前記ユーザＩＤとともに前記ポリシーおよび前記機器情報を前記公衆網を介して前記ユーザ・機器情報登録機能部に転送し、
前記ユーザ・機器情報登録機能部は、前記ユーザＩＤに基づいて前記ユーザＤＢに登録されているユーザ情報を読み出し、前記ポリシーを含む前記ユーザ情報および前記機器情報を前記ユーザ・機器情報ＤＢに登録する
ことを特徴とするユーザ登録方法。
【請求項８】
請求項８に記載のユーザ登録方法において、
前記ユーザ宅内に、スマートメータ網に接続されるスマートメータを備え、
前記スマートメータが有するユーザＩＤおよびユーザ情報が登録されるユーザＤＢと、
前記スマートメータ網に接続するとともに前記ユーザＤＢにアクセス可能なユーザ・機器情報登録機能部と
を備え、
前記通信装置は、前記外部メモリに前記ポリシーとともに前記機器が前記スマートメータと無線接続するための無線通信情報を記憶させ、
前記スマートメータは、前記機器から前記ポリシーに基づいて送信された前記機器情報を受信し、前記ユーザＩＤ、前記ポリシーおよび前記機器情報を前記スマートメータ網を介して前記ユーザ・機器情報登録機能部に転送し、
前記ユーザ・機器情報登録機能部は、前記ユーザＩＤに基づいて前記ユーザＤＢに登録されているユーザ情報を読み出し、前記ポリシーを含む前記ユーザ情報および前記機器情報を前記ユーザ・機器情報ＤＢに登録する
ことを特徴とするユーザ登録方法。
【請求項９】
ユーザを特定するユーザ情報および機器を特定する機器情報を対応付けて登録するユーザ・機器情報ＤＢと、
公衆網を介して前記ユーザ・機器情報ＤＢと接続されるユーザ宅内の通信装置と、
前記機器情報を前記通信装置に送信する機能を有する機器と
を備え、前記通信装置が前記機器から送信された機器情報を受信し、前記ユーザ情報および前記機器情報を前記公衆網を介して前記ユーザ・機器情報ＤＢに転送して登録するユーザ登録システムの通信装置において、
前記ユーザ情報を入力するとともに、前記ユーザ情報および前記機器情報の登録に関するポリシーを入力する手段と、前記機器が当該通信装置と無線接続するための無線通信情報を記憶する挿抜可能な外部メモリとを備え、
前記外部メモリを接続して読み出した前記無線通信情報を用いて無線接続された前記機器から送信された前記機器情報を受信し、前記ポリシーを含む前記ユーザ情報および前記機器情報を前記公衆網を介して前記ユーザ・機器情報ＤＢに転送して登録する構成である
ことを特徴とするユーザ登録システムの通信装置。
【請求項１０】
請求項９に記載のユーザ登録システムの通信装置において、
通信事業者が管理する通信装置の回線ＩＤおよびユーザ情報が契約者ＤＢに登録され、  前記公衆網に接続されるユーザ・機器情報登録機能部から前記契約者ＤＢにアクセス可能であり、
前記機器から送信された前記機器情報を受信し、前記回線ＩＤとともに前記ポリシーおよび前記機器情報を前記公衆網を介して前記ユーザ・機器情報登録機能部に転送し、前記ユーザ・機器情報登録機能部を介して、前記回線ＩＤに基づいて前記契約者ＤＢに登録されているユーザ情報を読み出し、前記ポリシーを含む前記ユーザ情報および前記機器情報を前記公衆網を介して前記ユーザ・機器情報ＤＢに転送して登録する構成である
ことを特徴とするユーザ登録システムの通信装置。
【請求項１１】
請求項９に記載のユーザ登録システムの通信装置において、
前記通信装置が有するユーザＩＤおよびユーザ情報がユーザＤＢに登録され、
前記公衆網に接続されるユーザ・機器情報登録機能部から前記ユーザＤＢにアクセス可能であり、
前記機器から送信された前記機器情報を受信し、前記ユーザＩＤとともに前記ポリシーおよび前記機器情報を前記公衆網を介して前記ユーザ・機器情報登録機能部に転送し、前記ユーザ・機器情報登録機能部を介して、前記ユーザＩＤに基づいて前記ユーザＤＢに登録されているユーザ情報を読み出し、前記ポリシーを含む前記ユーザ情報および前記機器情報を前記ユーザ・機器情報ＤＢに登録する構成である
ことを特徴とするユーザ登録システムの通信装置。
【発明の詳細な説明】
【技術分野】
【０００１】
本発明は、ユーザ宅内で使用される家電製品などの機器情報（例えば、製品名、型番、製造番号等）と、ユーザ情報（例えば、氏名、住所、電話番号等）について、ユーザ宅内に設置されるホームゲートウェイ（以下、ＨＧＷという）から公衆網（例えば、インターネット）を介してユーザ機器情報管理センタに登録するユーザ登録システム、ユーザ登録方法およびユーザ登録するための通信装置に関する。
【背景技術】
【０００２】
図９は、想定されるユーザ登録システムの構成例を示す。
図９において、ユーザ宅内にはインターネット等の公衆網１１に接続される通信回線を終端するＯＮＵ（回線終端装置）２１があり、ＯＮＵ２１にルータ機能を有するＨＧＷ２２を介してＰＣ（パーソナルコンピュータ）２３が接続される。また、ＨＧＷ２２は、無線ＬＡＮを介してユーザ宅内の他のＰＣとの無線接続も可能になっている。
【０００３】
ユーザ登録システムとしては、公衆網１１にユーザ機器情報管理センタのユーザ・機器情報ＤＢ（データベース）１２が接続され、ユーザ宅内のＨＧＷ２２に無線ＬＡＮを介して家電製品などの機器２４−１〜２４−２が接続される構成となる。ＨＧＷ２２に接続されるＰＣ２３からユーザ情報を入力し、機器２４−１〜２４−２から無線ＬＡＮを介してＨＧＷ２２に機器情報を送信し、ＨＧＷ２２からユーザ情報および機器情報を公衆網１１を介してユーザ・機器情報ＤＢ１２に送信し、登録する処理を行う。
【０００４】
ここで、ＨＧＷ２２とユーザ宅内の機器２４−１〜２４−２が無線ＬＡＮで接続されるためにはできるだけ簡単な操作が必要になるが、セキュリティ確保のためにＨＧＷ２２が近所の他家の機器２５と接続しないようにする仕組みが必要である。
【０００５】
そのためには、無線ＬＡＮの接続設定やセキュリティ設定を簡単に行うために作られたＷＰＳ（Wi-Fi Protected Setup ）で示されている方法（非特許文献１）が有効であり、例えばＨＧＷ２２と機器２４−１〜２４−２が通信する際に両方でボタンを押すプッシュボタン認証モード（非特許文献２）がある。また、ＨＧＷ２２または機器２４−１〜２４−２に割り当てられたＰＩＮコードを対向の装置に設定するＰＩＮ認証モードがある。また、ＨＧＷ２２と機器２４−１〜２４−２に近距離無線通信（ＮＦＣ：Near Field Communication）デバイスをかざすＮＦＣ認証モードがある。
【０００６】
また、機器情報はユーザにとって個人情報であるので、ＨＧＷ２２が機器２４−１〜２４−２から機器情報を受信し、さらにユーザ・機器情報ＤＢ１２へ登録する際には、ユーザ本人の同意をとるための仕組みが必要である。
【先行技術文献】
【非特許文献】
【０００７】
【非特許文献１】Wi-Fi Alliance Webサイト：http://www.wi-fi.org/wifi-protected-setup
【非特許文献２】バッファロー Webサイト：http://buffalo.jp/aoss/top.html
【発明の概要】
【発明が解決しようとする課題】
【０００８】
ＨＧＷ２２と機器２４−１〜２４−２におけるプッシュボタン認証モードでは、機器情報を登録する際に両者のボタンを所定のタイミングで押す操作が必要になる。そのとき、他家で認証作業をしている場合には、誤接続が発生する可能性があった。
【０００９】
また、ＰＩＮ認証モードでは、ＨＧＷ２２と機器２４−１〜２４−２の少なくとも一方に、ＰＩＮコードの入力手段（例えば文字入力画面やキーボード）が必要になるが、それを機器側に備えることは現実的ではない。一方、ＨＧＷ２２にはＰＣ２３が接続されているので機器のＰＩＮコードの入力は可能であるが、機器ごとのＰＩＮコードを入力することは面倒であるとともに入力ミスの可能性もあった。
【００１０】
また、ＮＦＣ認証モードでは、ＨＧＷ２２と機器２４−１〜２４−２が無線ＬＡＮ接続するためにＮＦＣデバイスのリーダ機器を実装することはコストパフォーマンスが悪いとともに、ユーザの誤操作により意図しない機器を登録してしまう可能性もあった。
【００１１】
また、ユーザ機器情報管理センタに対してユーザ登録や機器登録を行う機器が多数存在する場合、機器ごとにキー入力や音声登録等を行うのではユーザの作業負荷が大きく、入力ミスも懸念される上、それぞれの機器に文字表示画面・キーボード・音声入力部を実装する必要があり機器のコスト上昇も懸念される。
【００１２】
本発明は、簡単かつ低コストな構成で、ユーザ宅内の家電製品などの機器情報とユーザ情報をユーザ機器情報管理センタに登録することができるユーザ登録システム、ユーザ登録方法およびユーザ登録するための通信装置を提供することを目的とする。
【課題を解決するための手段】
【００１３】
第１の発明は、ユーザを特定するユーザ情報および機器を特定する機器情報を対応付けて登録するユーザ・機器情報ＤＢと、公衆網を介してユーザ・機器情報ＤＢと接続されるユーザ宅内の通信装置と、機器情報を通信装置に送信する機能を有する機器とを備え、通信装置が機器から送信された機器情報を受信し、ユーザ情報および機器情報を公衆網を介してユーザ・機器情報ＤＢに転送して登録するユーザ登録システムにおいて、通信装置は、ユーザ情報を入力するとともに、ユーザ情報および機器情報の登録に関するポリシーを入力する手段と、機器が当該通信装置と無線接続するための無線通信情報を記憶する挿抜可能な外部メモリとを備え、機器は、外部メモリを接続して無線通信情報を読み出すインタフェース部を備え、無線通信情報を用いて通信装置との無線接続を確立して機器情報を送信する構成であり、通信装置は、機器から送信された機器情報を受信し、ポリシーを含むユーザ情報および機器情報を公衆網を介してユーザ・機器情報ＤＢに転送して登録する構成である。
【００１４】
第１の発明のユーザ登録システムにおいて、通信装置を提供する通信事業者が管理し、通信装置の回線ＩＤおよびユーザ情報が登録される契約者ＤＢと、公衆網に接続するとともに契約者ＤＢにアクセス可能なユーザ・機器情報登録機能部とを備え、通信装置は、機器から送信された機器情報を受信し、回線ＩＤとともにポリシーおよび機器情報を公衆網を介してユーザ・機器情報登録機能部に転送する構成であり、ユーザ・機器情報登録機能部は、回線ＩＤに基づいて契約者ＤＢに登録されているユーザ情報を読み出し、ポリシーを含むユーザ情報および機器情報を公衆網を介してユーザ・機器情報ＤＢに転送して登録する構成である。
【００１５】
第１の発明のユーザ登録システムにおいて、通信装置が有するユーザＩＤおよびユーザ情報が登録されるユーザＤＢと、公衆網に接続するとともにユーザＤＢにアクセス可能なユーザ・機器情報登録機能部とを備え、通信装置は、機器から送信された機器情報を受信し、ユーザＩＤとともにポリシーおよび機器情報を公衆網を介してユーザ・機器情報登録機能部に転送する構成であり、ユーザ・機器情報登録機能部は、ユーザＩＤに基づいてユーザＤＢに登録されているユーザ情報を読み出し、ポリシーを含むユーザ情報および機器情報をユーザ・機器情報ＤＢに登録する構成である。
【００１６】
第１の発明のユーザ登録システムにおいて、ユーザ宅内に、スマートメータ網に接続されるスマートメータを備え、スマートメータが有するユーザＩＤおよびユーザ情報が登録されるユーザＤＢと、スマートメータ網に接続するとともにユーザＤＢにアクセス可能なユーザ・機器情報登録機能部とを備え、通信装置は、外部メモリにポリシーとともに機器がスマートメータと無線接続するための無線通信情報を記憶させ、スマートメータは、機器からポリシーに基づいて送信された機器情報を受信し、ユーザＩＤ、ポリシーおよび機器情報をスマートメータ網を介してユーザ・機器情報登録機能部に転送する構成であり、ユーザ・機器情報登録機能部は、ユーザＩＤに基づいてユーザＤＢに登録されているユーザ情報を読み出し、ポリシーを含むユーザ情報および機器情報をユーザ・機器情報ＤＢに登録する構成である。
【００１７】
第２の発明は、ユーザを特定するユーザ情報および機器を特定する機器情報を対応付けて登録するユーザ・機器情報ＤＢと、公衆網を介してユーザ・機器情報ＤＢと接続されるユーザ宅内の通信装置と、機器情報を通信装置に送信する機能を有する機器とを備え、通信装置が機器から送信された機器情報を受信し、ユーザ情報および機器情報を公衆網を介してユーザ・機器情報ＤＢに転送して登録するユーザ登録方法において、通信装置は、ユーザ情報を入力するとともに、ユーザ情報および機器情報の登録に関するポリシーを入力し、挿抜可能な外部メモリに機器が当該通信装置と無線接続するための無線通信情報を記憶し、機器は、外部メモリを接続して無線通信情報を読み出すインタフェース部を備え、無線通信情報を用いて通信装置との無線接続を確立して機器情報を送信し、通信装置は、機器から送信された機器情報を受信し、ポリシーを含むユーザ情報および機器情報を公衆網を介してユーザ・機器情報ＤＢに転送して登録する。
【００１８】
第２の発明のユーザ登録方法において、通信装置を提供する通信事業者が管理し、通信装置の回線ＩＤおよびユーザ情報が登録される契約者ＤＢと、公衆網に接続するとともに契約者ＤＢにアクセス可能なユーザ・機器情報登録機能部とを備え、通信装置は、機器から送信された機器情報を受信し、回線ＩＤとともにポリシーおよび機器情報を公衆網を介してユーザ・機器情報登録機能部に転送し、ユーザ・機器情報登録機能部は、回線ＩＤに基づいて契約者ＤＢに登録されているユーザ情報を読み出し、ポリシーを含むユーザ情報および機器情報を公衆網を介してユーザ・機器情報ＤＢに転送して登録する。
【００１９】
第２の発明のユーザ登録方法において、通信装置が有するユーザＩＤおよびユーザ情報が登録されるユーザＤＢと、公衆網に接続するとともにユーザＤＢにアクセス可能なユーザ・機器情報登録機能部とを備え、通信装置は、機器から送信された機器情報を受信し、ユーザＩＤとともにポリシーおよび機器情報を公衆網を介してユーザ・機器情報登録機能部に転送し、ユーザ・機器情報登録機能部は、ユーザＩＤに基づいてユーザＤＢに登録されているユーザ情報を読み出し、ポリシーを含むユーザ情報および機器情報をユーザ・機器情報ＤＢに登録する。
【００２０】
第２の発明のユーザ登録方法において、ユーザ宅内に、スマートメータ網に接続されるスマートメータを備え、スマートメータが有するユーザＩＤおよびユーザ情報が登録されるユーザＤＢと、スマートメータ網に接続するとともにユーザＤＢにアクセス可能なユーザ・機器情報登録機能部とを備え、通信装置は、外部メモリにポリシーとともに機器がスマートメータと無線接続するための無線通信情報を記憶させ、スマートメータは、機器からポリシーに基づいて送信された機器情報を受信し、ユーザＩＤ、ポリシーおよび機器情報をスマートメータ網を介してユーザ・機器情報登録機能部に転送し、ユーザ・機器情報登録機能部は、ユーザＩＤに基づいてユーザＤＢに登録されているユーザ情報を読み出し、ポリシーを含むユーザ情報および機器情報をユーザ・機器情報ＤＢに登録する。
【００２１】
第３の発明は、ユーザを特定するユーザ情報および機器を特定する機器情報を対応付けて登録するユーザ・機器情報ＤＢと、公衆網を介してユーザ・機器情報ＤＢと接続されるユーザ宅内の通信装置と、機器情報を通信装置に送信する機能を有する機器とを備え、通信装置が機器から送信された機器情報を受信し、ユーザ情報および機器情報を公衆網を介してユーザ・機器情報ＤＢに転送して登録するユーザ登録システムの通信装置において、ユーザ情報を入力するとともに、ユーザ情報および機器情報の登録に関するポリシーを入力する手段と、機器が当該通信装置と無線接続するための無線通信情報を記憶する挿抜可能な外部メモリとを備え、外部メモリを接続して読み出した無線通信情報を用いて無線接続された機器から送信された機器情報を受信し、ポリシーを含むユーザ情報および機器情報を公衆網を介してユーザ・機器情報ＤＢに転送して登録する構成である。
【００２２】
第３の発明のユーザ登録システムの通信装置において、通信事業者が管理する通信装置の回線ＩＤおよびユーザ情報が契約者ＤＢに登録され、公衆網に接続されるユーザ・機器情報登録機能部から契約者ＤＢにアクセス可能であり、機器から送信された機器情報を受信し、回線ＩＤとともにポリシーおよび機器情報を公衆網を介してユーザ・機器情報登録機能部に転送し、ユーザ・機器情報登録機能部を介して、回線ＩＤに基づいて契約者ＤＢに登録されているユーザ情報を読み出し、ポリシーを含むユーザ情報および機器情報を公衆網を介してユーザ・機器情報ＤＢに転送して登録する構成である。
【００２３】
第３の発明のユーザ登録システムの通信装置において、通信装置が有するユーザＩＤおよびユーザ情報がユーザＤＢに登録され、公衆網に接続されるユーザ・機器情報登録機能部からユーザＤＢにアクセス可能であり、機器から送信された機器情報を受信し、ユーザＩＤとともにポリシーおよび機器情報を公衆網を介してユーザ・機器情報登録機能部に転送し、ユーザ・機器情報登録機能部を介して、ユーザＩＤに基づいてユーザＤＢに登録されているユーザ情報を読み出し、ポリシーを含むユーザ情報および機器情報をユーザ・機器情報ＤＢに登録する構成である。
【発明の効果】
【００２４】
本発明は、ユーザがユーザ宅内の機器のユーザ登録を行う場合に、通信装置にユーザ情報およびポリシーを設定し、機器との無線接続を行うための無線通信情報を記憶した外部メモリをユーザ登録したい機器に差し込むことにより、機器と通信装置との間で無線接続が確立し、機器から機器情報が通信装置に送信され、通信装置からユーザ・機器情報ＤＢにポリシーを含むユーザ情報および機器情報が転送され、ポリシーに基づいて登録することができる。
【００２５】
また、通信装置が通信事業者から提供されたものである場合は、通信装置から通信事業者が管理するユーザＤＢに回線ＩＤに基づいてアクセスしてユーザ情報を取得し、そのユーザ情報と機器情報をリンクしてユーザ・機器情報ＤＢに登録することができる。
【００２６】
また、通信装置が機器のメーカーから提供されたものである場合は、通信装置からメーカーが管理するユーザＤＢにユーザＩＤに基づいてアクセスしてユーザ情報を取得し、そのユーザ情報と機器情報をリンクしてユーザ・機器情報ＤＢに登録することができる。
【図面の簡単な説明】
【００２７】
【図１】本発明の実施例１のユーザ登録システムの構成例を示す図である。
【図２】実施例１の処理シーケンスを示す図である。
【図３】本発明の実施例２のユーザ登録システムの構成例を示す図である。
【図４】実施例２の処理シーケンスを示す図である。
【図５】本発明の実施例３のユーザ登録システムの構成例を示す図である。
【図６】実施例３の処理シーケンスを示す図である。
【図７】本発明の実施例４のユーザ登録システムの構成例を示す図である。
【図８】実施例４の処理シーケンスを示す図である。
【図９】想定されるユーザ登録システムの構成例を示す図である。
【発明を実施するための形態】
【実施例１】
【００２８】
図１は、本発明の実施例１のユーザ登録システムの構成例を示す。
図１において、ユーザ宅内にはインターネット等の公衆網１１に接続される通信回線を終端するＯＮＵ２１があり、ＯＮＵ２１にルータ機能を有するＨＧＷ２２を介してＰＣ２３が接続される。一方、公衆網１１にユーザ機器情報管理センタに設置のユーザ・機器情報ＤＢ１２が接続され、ユーザ宅内のＨＧＷ２２に無線アクセス網（例えば無線ＬＡＮ）を介して家電製品などの機器２４−１〜２４−２が接続される。ＨＧＷ２２は、機器２４−１〜２４−２がＨＧＷ２２と無線接続するための暗号キーなどの無線通信情報を記憶するＵＳＢメモリ２６を備える。機器２４−１〜２４−２は、ＵＳＢ−ＩＦ（インタフェース）を備え、ＵＳＢメモリ２６から無線通信情報を読み取ってＨＧＷ２２との無線接続を確立し、機器情報の送信が可能な構成になっている。
【００２９】
以下、図２を参照して実施例１の処理シーケンスについて説明する。
ＨＧＷ２２は、ＰＣ２３から氏名、住所等のユーザ情報を入力するとともに、ユーザ情報および機器情報の登録に関するポリシーを入力する。また、ＨＧＷ２２は、機器２４−１〜２４−２がＨＧＷ２２と無線接続するための暗号キーなどの無線通信情報をＵＳＢメモリ２６に記憶する。ポリシーとしては、ユーザ情報および機器情報の登録の可否、ユーザ機器情報管理センタによるユーザ情報および機器情報の利用の可否など、ユーザの同意を必要とする事項である。
【００３０】
ユーザは、ＨＧＷ２２からＵＳＢメモリ２６を抜き取り、機器２４−１〜２４−２のＵＳＢ−ＩＦに差し込む。ＵＳＢメモリ２６が差し込まれた機器２４−１は、ＵＳＢメモリ２６から無線通信情報を読み出し、ＨＧＷ２２との無線接続処理を開始する。ＨＧＷ２２と機器２４−１の無線接続が確立すると、機器２４−１は製造番号等の機器情報をＨＧＷ２２に送信する。ＨＧＷ２２は、予め設定されているポリシーに基づき、ユーザ情報および機器情報の登録が許可されている場合には、ポリシーを含むユーザ情報および機器情報を公衆網１１を介してユーザ・機器情報ＤＢ１２に送信し、登録する処理を行う。ユーザ・機器情報ＤＢ１２に登録されたユーザ情報および機器情報は、ユーザが指定したポリシーに基づいて運用処理される。
【００３１】
このように、本実施例では、ユーザがユーザ宅内の機器２４−１〜２４−２のユーザ登録を行う場合には、ＰＣ２３からＨＧＷ２２にユーザ情報およびポリシーを設定し、ＨＧＷ２２のＵＳＢメモリ２６をユーザ登録したい機器２４−１のＵＳＢ−ＩＦに差し込むだけでよい。その後は、ＵＳＢメモリ２６が差し込まれた機器２４−１とＨＧＷ２２との間で無線接続が確立し、機器２４−１から機器情報がＨＧＷ２２に送信され、ＨＧＷ２２からユーザ機器情報管理センタのユーザ・機器情報ＤＢ１２に転送され、ポリシーに基づいて登録される。他の機器２４−２のユーザ登録を行う場合は、ＵＳＢメモリ２６を当該機器２４−２のＵＳＢ−ＩＦに差し込むだけで、すでに設定しているユーザ情報とともに機器２４−２の機器情報の登録処理が行われる。なお、ポリシーは機器ごとに個別に設定する構成でもよい。
【００３２】
また、本実施例では、ＨＧＷ２２との無線接続情報をＵＳＢメモリ２６を介して機器２４−１〜２４−２に設定する例を示したが、その他の外部メモリ（例えばＳＤメモリ）を利用する形態でもよい。その場合には、機器２４−１〜２４−２に対応するメモリインタフェースを備えることになる。以下の実施例でも同様である。
【００３３】
また、本実施例では、ユーザ情報およびポリシーをＰＣ２３からＨＧＷ２２に設定する例を示したが、例えばユーザ機器情報管理センタのオペレータが公衆網１１を介してＨＧＷ２２に設定する構成としてもよい。
【実施例２】
【００３４】
図３は、本発明の実施例２のユーザ登録システムの構成例を示す。
本実施例の特徴は、通信事業者が提供するＨＧＷ２２を利用し、ＨＧＷ２２に関するユーザ情報が通信事業者のＨＧＷ契約者ＤＢ１３に登録され、当該ユーザ情報とユーザ宅内の機器２４−１〜２４−２の機器情報をリンクしてユーザ機器情報管理センタのユーザ・機器情報ＤＢ１２に登録する構成にある。ユーザ宅内の構成は実施例１と同様であるが、ＰＣ２３はＨＧＷ２２にポリシーのみを設定するものとする。公衆網１１には、ユーザ機器情報管理センタに設置のユーザ・機器情報ＤＢ１２が接続されるとともに、通信事業者のユーザ・機器情報登録機能部１４を介してＨＧＷ契約者ＤＢ１３が接続される。
【００３５】
以下、図４を参照して実施例２の処理シーケンスについて説明する。
ＨＧＷ２２は、ＰＣ２３からユーザ情報および機器情報の登録に関するポリシーを入力する。また、ＨＧＷ２２は、機器２４−１〜２４−２がＨＧＷ２２と無線接続するための暗号キーなどの無線通信情報をＵＳＢメモリ２６に記憶する。また、ＨＧＷ２２は通信事業者から提供されているので、その回線ＩＤとともに氏名、住所等のユーザ情報がＨＧＷ契約者ＤＢ１３に登録されている。
【００３６】
ユーザは、ＨＧＷ２２からＵＳＢメモリ２６を抜き取り、機器２４−１〜２４−２のＵＳＢ−ＩＦに差し込む。ＵＳＢメモリ２６が差し込まれた機器２４−１は、ＵＳＢメモリ２６から無線通信情報を読み出し、ＨＧＷ２２との無線接続処理を開始する。ＨＧＷ２２と機器２４−１の無線接続が確立すると、機器２４−１は製造番号等の機器情報をＨＧＷ２２に送信する。ＨＧＷ２２は、予め設定されているポリシーに基づき、ユーザ情報および機器情報の登録が許可されている場合には、回線ＩＤとともにポリシーおよび機器情報を公衆網１１を介してユーザ・機器情報登録機能部１４に送信する。ユーザ・機器情報登録機能部１４は、回線ＩＤに基づいてＨＧＷ契約者ＤＢ１３に登録されているユーザ情報を取り出し、ポリシーに基づくユーザ情報の全部や一部および機器情報を公衆網１１を介してユーザ・機器情報ＤＢ１２に転送し、登録する処理を行う。ユーザ・機器情報ＤＢ１２に登録されたユーザ情報および機器情報は、ユーザが指定したポリシーに基づいて運用処理される。
【００３７】
このように、本実施例では、ユーザがユーザ宅内の機器２４−１〜２４−２のユーザ登録を行う場合には、ＰＣ２３からＨＧＷ２２にポリシーを設定し、ＨＧＷ２２のＵＳＢメモリ２６をユーザ登録したい機器２４−１のＵＳＢ−ＩＦに差し込むだけでよい。その後は、ＵＳＢメモリ２６が差し込まれた機器２４−１とＨＧＷ２２との間で無線接続が確立し、機器２４−１から機器情報がＨＧＷ２２に送信され、ＨＧＷ２２から回線ＩＤ、ポリシーおよび機器情報がユーザ・機器情報登録機能部１４に送信され、さらにＨＧＷ契約者ＤＢ１３から得られたユーザ情報と合せてユーザ機器情報管理センタのユーザ・機器情報ＤＢ１２に転送され、ポリシーに基づいて登録される。他の機器２４−２のユーザ登録を行う場合は、ＵＳＢメモリ２６を当該機器２４−２のＵＳＢ−ＩＦに差し込むだけで、同様に機器２４−２の機器情報の登録処理が行われる。なお、ポリシーは機器ごとに個別に設定する構成でもよい。
【００３８】
また、本実施例では、ポリシーをＰＣ２３からＨＧＷ２２に設定する例を示したが、例えばユーザ機器情報管理センタまたは通信事業者のオペレータが公衆網１１を介してＨＧＷ２２に設定する構成としてもよい。
【実施例３】
【００３９】
図５は、本発明の実施例３のユーザ登録システムの構成例を示す。
本実施例の特徴は、ユーザ機器情報管理センタのメンバーである機器メーカーが提供する特定機器（例えばテレビ）２７を利用し、特定機器２７に関するユーザ情報が当該機器メーカーの特定機器ユーザＤＢ１５に登録され、当該ユーザ情報とユーザ宅内の機器２４−１〜２４−２の機器情報をリンクしてユーザ機器情報管理センタのユーザ・機器情報ＤＢ１２に登録する構成にある。ユーザ宅内の構成は基本的には実施例１と同様であるが、特定機器２７はＨＧＷ２２、ＯＮＵ２１を介して公衆網１１に接続される。特定機器２７は、ＵＳＢメモリ２６、ＨＧＷ２２を介して公衆網１１に接続するとともに他の機器２４−１〜２４−２に無線接続する通信部２８、ユーザ情報やポリシーを入力する入力部（例えばテレビのリモコンの受信部）２９を備える。なお、特定機器ユーザＤＢ１５に対するユーザ情報の登録方法は、ユーザが入力部２９から入力し、通信部２８を介して特定機器ユーザＤＢ１５に直接登録してもよいし、ユーザ登録ハガキ等の送付によりメーカー側が登録処理を行ってもよい。
【００４０】
公衆網１１には、ユーザ機器情報管理センタに設置のユーザ・機器情報ＤＢ１２とともに、ユーザ・機器情報登録機能部１６を介して特定機器ユーザＤＢ１５が接続される。また、ユーザ・機器情報登録機能部１６とユーザ・機器情報ＤＢ１２が接続される。
【００４１】
以下、図６を参照して実施例３の処理シーケンスについて説明する。
特定機器２７の入力部２０には、ユーザ情報および機器情報の登録に関するポリシーが入力される。特定機器２７は、機器２４−１〜２４−２が特定機器２７の通信部２８と無線接続するための暗号キーなどの無線通信情報をＵＳＢメモリ２６に記憶する。また、特定機器２７のユーザ情報は、ユーザＩＤとともに特定機器ユーザＤＢ１５に登録されている。
【００４２】
ユーザは、特定機器２７からＵＳＢメモリ２６を抜き取り、機器２４−１〜２４−２のＵＳＢ−ＩＦに差し込む。ＵＳＢメモリ２６が差し込まれた機器２４−１は、ＵＳＢメモリ２６から無線通信情報を読み出し、特定機器２７の通信部２８との無線接続処理を開始する。通信部２８と機器２４−１の無線接続が確立すると、機器２４−１は製造番号等の機器情報を通信部２８に送信する。通信部２８は、予め設定されているポリシーに基づき、ユーザ情報および機器情報の登録が許可されている場合には、ユーザＩＤとともにポリシーおよび機器情報を公衆網１１を介してユーザ・機器情報登録機能部１６に送信する。ユーザ・機器情報登録機能部１６は、ユーザＩＤに基づいて特定機器ユーザＤＢ１５に登録されているユーザ情報を取り出し、ポリシーを含むユーザ情報および機器情報をユーザ・機器情報ＤＢ１２に登録する処理を行う。ユーザ・機器情報ＤＢ１２に登録されたユーザ情報および機器情報は、ユーザが指定したポリシーに基づいて運用処理される。
【００４３】
このように、本実施例では、ユーザがユーザ宅内の機器２４−１〜２４−２のユーザ登録を行う場合には、特定機器２７の入力部２９からポリシーを設定し、特定機器２７のＵＳＢメモリ２６をユーザ登録したい機器２４−１のＵＳＢ−ＩＦに差し込むだけでよい。その後は、ＵＳＢメモリ２６が差し込まれた機器２４−１とＨＧＷ２２との間で無線接続が確立し、機器２４−１から機器情報が特定機器２７の通信部２８に送信され、通信部２８からユーザＩＤ、ポリシーおよび機器情報がユーザ・機器情報登録機能部１６に送信され、さらに特定機器ユーザＤＢ１５から得られたユーザ情報と合せてユーザ・機器情報ＤＢ１２に転送され、ポリシーに基づいて登録される。他の機器２４−２のユーザ登録を行う場合は、そのＵＳＢメモリ２６を当該機器２４−２のＵＳＢ−ＩＦに差し込むだけで、同様に機器２４−２の機器情報の登録処理が行われる。なお、ポリシーは機器ごとに個別に設定する構成でもよい。
【実施例４】
【００４４】
図７は、本発明の実施例４のユーザ登録システムの構成例を示す。
本実施例の特徴は、ユーザ宅内にあるスマートメータ３０を介して、機器２４−１〜２４−２の機器登録とユーザ登録を行う構成である。スマートメータ３０に関するユーザ情報がユーザＩＤとともにスマートメータ網１７に接続されるスマートメータユーザＤＢ１８に登録され、当該ユーザ情報とユーザ宅内の機器２４−１〜２４−２の機器情報をリンクしてユーザ機器情報管理センタのユーザ・機器情報ＤＢ１２に登録する構成とする。
【００４５】
以下、図８を参照して実施例４の処理シーケンスについて説明する。
ＨＧＷ２２は、ＰＣ２３から機器情報の登録に関するポリシーを入力する。また、ＨＧＷ２２は、機器２４−１〜２４−２がスマートメータ３０と無線接続するための暗号キーなどの無線通信情報およびポリシーをＵＳＢメモリ２６に記憶する。
【００４６】
ユーザは、ＨＧＷ２２からＵＳＢメモリ２６を抜き取り、機器２４−１〜２４−２のＵＳＢ−ＩＦに差し込む。ＵＳＢメモリ２６が差し込まれた機器２４−１は、ＵＳＢメモリ２６から無線通信情報およびポリシーを読み出し、スマートメータ３０との無線接続処理を開始する。スマートメータ３０と機器２４−１の無線接続が確立すると、機器２４−１はポリシーに基づいて、製造番号等の機器情報をスマートメータ３０に送信する。スマートメータ３０は、ユーザＩＤおよびポリシーを含む機器情報をスマートメータ網１７を介してユーザ・機器情報登録機能部１６に送信する。ユーザ・機器情報登録機能部１６は、ユーザＩＤに基づいてスマートメータユーザＤＢ１８に登録されているユーザ情報を取り出し、ポリシーを含むユーザ情報および機器情報をユーザ・機器情報ＤＢ１２に登録する処理を行う。ユーザ・機器情報ＤＢ１２に登録されたユーザ情報および機器情報は、ユーザが指定したポリシーに基づいて運用処理される。
【００４７】
なお、本実施例では、ポリシーをＰＣ２３からＨＧＷ２２に設定する例を示したが、例えばユーザ機器情報管理センタのオペレータが公衆網１１を介してＨＧＷ２２に設定する構成としてもよい。
【００４８】
また、ＵＳＢメモリ２６は、図５に示す実施例３のように特定機器２７から抜き取って機器２４−１〜２４−２のＵＳＢ−ＩＦに差し込むような構成でもよい。
【符号の説明】
【００４９】
１１  公衆網（インターネット等）
１２  ユーザ・機器情報ＤＢ
１３  ＨＧＷ契約者ＤＢ
１４  ユーザ・機器情報登録機能部
１５  特定機器ユーザＤＢ
１６  ユーザ・機器情報登録機能部
１７  スマートメータ網
１８  スマートメータＤＢ
２１  ＯＮＵ（回線終端装置）
２２  ＨＧＷ（ホームゲートウェイ）
２３  ＰＣ（パーソナルコンピュータ）
２４，２５  機器
２６  ＵＳＢメモリ
２７  特定機器
２８  通信部
２９  入力部
３０  スマートメータ
【図１】
2012231260.tif 000003
【図２】
2012231260.tif 000004
【図３】
2012231260.tif 000005
【図４】
2012231260.tif 000006
【図５】
2012231260.tif 000007
【図６】
2012231260.tif 000008
【図７】
2012231260.tif 000009
【図８】
2012231260.tif 000010
【図９】
2012231260.tif 000011